(57)【要約】【課題】付箋画像が選択的に合成された複数の原稿画像を扱うときに、付箋により関連付けられた複数の原稿を容易に把握する。【解決手段】付箋が選択的に添付された複数の原稿を順次読取り、読取った原稿画像毎に、原稿画像からの付箋画像の抽出処理を行い、この抽出した付箋画像を原稿画像の所定位置に重ねて合成するようにしている。また、１グループの第１頁目の原稿画像から付箋画像を抽出すると、この抽出した付箋画像を同一グループの各原稿画像全てに合成している。つまり、同一グループに属するのであれば、第１頁目の原稿画像だけではなく、第２頁目以降の他の原稿画像にも付箋画像を合成している。これにより、同一グループの各複写原稿を容易に把握することが可能になる。【選択図】図４
2010088037.tif 000002
【特許請求の範囲】
【請求項１】
付箋が選択的に添付された複数の原稿を順次読取り、読取った原稿画像毎に、原稿画像からの付箋画像の抽出処理を行う画像処理装置において、
前記付箋画像を、該付箋画像が抽出された原稿画像及び付箋画像が抽出されなかった他の原稿画像に関連付ける関連付け手段と、
前記関連付け手段により付箋画像に関連付けられた各原稿画像上に該付箋画像をそれぞれ合成して、これらの原稿画像を出力する画像出力手段とを備えることを特徴とする画像処理装置。
【請求項２】
付箋が選択的に添付された複数の原稿を順次読取り、読取った原稿画像毎に、原稿画像からの付箋画像の抽出処理を行う画像処理装置において、
前記付箋画像を、該付箋画像が抽出された原稿画像及び付箋画像が抽出されなかった他の原稿画像に関連付ける関連付け手段と、
前記付箋画像を１枚の画像として出力し、引き続いて前記関連付け手段により付箋画像に関連付けられた各原稿画像をそれぞれ出力する画像出力手段とを備えることを特徴とする画像処理装置。
【請求項３】
前記関連付け手段は、前記付箋画像を、該付箋画像が抽出された原稿画像及び次の別の付箋画像が抽出された原稿画像の１頁前までの順次読取られた他の原稿画像に関連付けることを特徴とする請求項１又は２に記載の画像処理装置。
【請求項４】
前記付箋画像の抽出処理、前記関連付け手段による処理、及び前記画像出力手段による処理を行うモードと、これらの処理を行わずに、前記読取られた各原稿画像を単に出力するモードとのいずれかを選択指示する指示入力手段を備えることを特徴とする請求項１又は２に記載の画像処理装置。
【請求項５】
前記画像出力手段は、前記付箋画像を変倍出力することを特徴とする請求項１又は２に記載の画像処理装置。
【請求項６】
前記関連付け手段により付箋画像に関連付けられた各原稿画像を１つのファイルとして記憶する記憶手段を備えることを特徴とする請求項１又は２に記載の画像処理装置。
【請求項７】
前記付箋画像に含まれる文字列もしくは前記関連付け手段により付箋画像に関連付けられた各原稿画像に含まれるそれぞれの文字列をテキストデータに変換する変換手段を備えることを特徴とする請求項１又は２に記載の画像処理装置。
【請求項８】
付箋が選択的に添付された複数の原稿を順次読取り、読取った原稿画像毎に、原稿画像からの付箋画像の抽出処理を行う画像処理装置において、
前記付箋画像を、該付箋画像が抽出された原稿画像及び付箋画像が抽出されなかった他の原稿画像に関連付ける関連付け手段と、
前記関連付け手段により付箋画像に関連付けられた各原稿画像上に該付箋画像をそれぞれ合成して、これらの原稿画像を出力する第１画像出力手段と、
前記付箋画像を１枚の画像として出力し、引き続いて前記関連付け手段により付箋画像に関連付けられた各原稿画像をそれぞれ出力する第２画像出力手段と、
前記第１及び第２画像出力手段のいずれかを選択して、第１及び第２画像出力手段のいずれかにより原稿画像を出力させる選択入力手段とを備えることを特徴とする画像処理装置。
【請求項９】
付箋が選択的に添付された複数の原稿を順次読取り、読取った原稿画像毎に、原稿画像からの付箋画像の抽出処理を行う画像処理装置において、
前記付箋画像を、該付箋画像が抽出された原稿画像及び付箋画像が抽出されなかった他の原稿画像に関連付ける関連付け手段と、
前記付箋画像と前記関連付け手段により付箋画像に関連付けられた各原稿画像を１つのファイルとして記憶する記憶手段とを備えることを特徴とする画像処理装置。
【請求項１０】
付箋が選択的に添付された複数の原稿を順次読取り、読取った原稿画像毎に、原稿画像からの付箋画像の抽出処理を行う画像処理方法において、
前記付箋画像を、該付箋画像が抽出された原稿画像及び付箋画像が抽出されなかった他の原稿画像に関連付ける関連付けステップと、
前記関連付けステップで付箋画像に関連付けられた各原稿画像上に該付箋画像をそれぞれ合成して、これらの原稿画像を出力する画像出力ステップとを含むことを特徴とする画像処理方法。
【請求項１１】
付箋が選択的に添付された複数の原稿を順次読取り、読取った原稿画像毎に、原稿画像からの付箋画像の抽出処理を行う画像処理方法において、
前記付箋画像を、該付箋画像が抽出された原稿画像及び付箋画像が抽出されなかった他の原稿画像に関連付ける関連付けステップと、
前記付箋画像を１枚の画像として出力し、引き続いて前記関連付けステップで付箋画像に関連付けられた各原稿画像をそれぞれ出力する画像出力ステップとを含むことを特徴とする画像処理方法。
【請求項１２】
付箋が選択的に添付された複数の原稿を順次読取り、読取った原稿画像毎に、原稿画像からの付箋画像の抽出処理を行う画像処理方法において、
前記付箋画像を、該付箋画像が抽出された原稿画像及び付箋画像が抽出されなかった他の原稿画像に関連付ける関連付けステップと、
前記関連付けステップで付箋画像に関連付けられた各原稿画像上に該付箋画像をそれぞれ合成して、これらの原稿画像を出力する第１画像出力ステップと、
前記付箋画像を１枚の画像として出力し、引き続いて前記関連付けステップで付箋画像に関連付けられた各原稿画像をそれぞれ出力する第２画像出力ステップと、
前記第１及び第２画像出力ステップのいずれかを選択して、第１及び第２画像出力ステップのいずれかで原稿画像を出力させる選択入力ステップとを含むことを特徴とする画像処理方法。
【請求項１３】
付箋が選択的に添付された複数の原稿を順次読取り、読取った原稿画像毎に、原稿画像からの付箋画像の抽出処理を行う画像処理方法において、
前記付箋画像を、該付箋画像が抽出された原稿画像及び付箋画像が抽出されなかった他の原稿画像に関連付ける関連付けステップと、
前記付箋画像と前記関連付けステップで該付箋画像に関連付けられた各原稿画像を１つのファイルとしてメモリに記憶する記憶ステップとを含むことを特徴とする画像処理方法。
【発明の詳細な説明】
【技術分野】
【０００１】
本発明は、付箋が選択的に添付された複数の原稿を順次読取り、読取った原稿画像毎に、原稿画像からの付箋画像の抽出処理を行う画像処理装置及び画像処理方法に関する。
【背景技術】
【０００２】
この種の従来の装置としては、特許文献１に記載のものがある。ここでは、原稿画像を読取り、読取った原稿画像から該原稿に添付された付箋画像を抽出し、この付箋画像を加工したり、原稿画像上での付箋画像に対するドラッグアンドドロップ操作により原稿画像上の任意の位置に付箋画像を移動させることを可能にしている。
【特許文献１】特開２００７−４６２１号公報
【発明の開示】
【発明が解決しようとする課題】
【０００３】
ところで、順番に重ねて纏められた複数の原稿に付箋を添付する場合は、各原稿全てに付箋を添付するのではなく、選択した特定の原稿だけに付箋を添付することが多い。例えば、複数の原稿をグループ分けし、グループ毎に、第１頁目の原稿だけに付箋を添付し、第２頁目から最終頁までの他の原稿には付箋を添付しないという使用形態がある。この場合は、最終頁に引き続く次の原稿が次のグループの第１頁目となって、この次の原稿に別の付箋が添付されるので、付箋が添付された頁から次の別の付箋が添付された頁の１頁前までが１グループの各原稿となる。
【０００４】
また、多数の原稿が重ねて纏められた状態であっても、付箋を容易に視認して、１グループの各原稿を容易に把握することができように、付箋を原稿の縁から突出するように添付している。
【０００５】
しかしながら、上記特許文献１のように原稿画像上に付箋画像を合成した場合は、先頭頁の原稿の付箋を直接視ることができても、次頁以降の原稿については原稿をめくらなければ、付箋を視ることができない。このため、付箋が合成された頁から次の別の付箋が合成された頁の１頁前までが１グループであると分っていても、次の別の付箋が合成された頁の原稿を探し出すことが困難であり、付箋を活用することができなかった。
【０００６】
そこで、本発明は、上記従来の問題点に鑑みてなされたものであり、付箋画像が選択的に合成された複数の原稿画像を扱うときに、付箋により関連付けられた複数の原稿を容易に把握することが可能な画像処理装置及び画像処理方法を提供することを目的とする。
【課題を解決するための手段】
【０００７】
上記課題を解決するために、本発明の画像処理装置は、付箋が選択的に添付された複数の原稿を順次読取り、読取った原稿画像毎に、原稿画像からの付箋画像の抽出処理を行う画像処理装置において、前記付箋画像を、該付箋画像が抽出された原稿画像及び付箋画像が抽出されなかった他の原稿画像に関連付ける関連付け手段と、前記関連付け手段により付箋画像に関連付けられた各原稿画像上に該付箋画像をそれぞれ合成して、これらの原稿画像を出力する画像出力手段とを備えている。
【０００８】
また、本発明の画像処理装置は、付箋が選択的に添付された複数の原稿を順次読取り、読取った原稿画像毎に、原稿画像からの付箋画像の抽出処理を行う画像処理装置において、前記付箋画像を、該付箋画像が抽出された原稿画像及び付箋画像が抽出されなかった他の原稿画像に関連付ける関連付け手段と、前記付箋画像を１枚の画像として出力し、引き続いて前記関連付け手段により付箋画像に関連付けられた各原稿画像をそれぞれ出力する画像出力手段とを備えている。
【０００９】
例えば、前記関連付け手段は、前記付箋画像を、該付箋画像が抽出された原稿画像及び次の別の付箋画像が抽出された原稿画像の１頁前までの順次読取られた他の原稿画像に関連付ける。
【００１０】
また、前記付箋画像の抽出処理、前記関連付け手段による処理、及び前記画像出力手段による処理を行うモードと、これらの処理を行わずに、前記読取られた各原稿画像を単に出力するモードとのいずれかを選択指示する指示入力手段を備えている。
【００１１】
更に、前記画像出力手段は、前記付箋画像を変倍出力している。
【００１２】
また、前記関連付け手段により付箋画像に関連付けられた各原稿画像を１つのファイルとして記憶する記憶手段を備えている。
【００１３】
更に、前記付箋画像に含まれる文字列もしくは前記関連付け手段により付箋画像に関連付けられた各原稿画像に含まれるそれぞれの文字列をテキストデータに変換する変換手段を備えている。
【００１４】
また、本発明の画像処理装置は、付箋が選択的に添付された複数の原稿を順次読取り、読取った原稿画像毎に、原稿画像からの付箋画像の抽出処理を行う画像処理装置において、前記付箋画像を、該付箋画像が抽出された原稿画像及び付箋画像が抽出されなかった他の原稿画像に関連付ける関連付け手段と、前記関連付け手段により付箋画像に関連付けられた各原稿画像上に該付箋画像をそれぞれ合成して、これらの原稿画像を出力する第１画像出力手段と、前記付箋画像を１枚の画像として出力し、引き続いて前記関連付け手段により付箋画像に関連付けられた各原稿画像をそれぞれ出力する第２画像出力手段と、前記第１及び第２画像出力手段のいずれかを選択して、第１及び第２画像出力手段のいずれかにより原稿画像を出力させる選択入力手段とを備えている。
【００１５】
更に、本発明の画像処理装置は、付箋が選択的に添付された複数の原稿を順次読取り、読取った原稿画像毎に、原稿画像からの付箋画像の抽出処理を行う画像処理装置において、前記付箋画像を、該付箋画像が抽出された原稿画像及び付箋画像が抽出されなかった他の原稿画像に関連付ける関連付け手段と、前記付箋画像と前記関連付け手段により付箋画像に関連付けられた各原稿画像を１つのファイルとして記憶する記憶手段とを備えている。
【００１６】
一方、本発明の画像処理方法は、付箋が選択的に添付された複数の原稿を順次読取り、読取った原稿画像毎に、原稿画像からの付箋画像の抽出処理を行う画像処理方法において、前記付箋画像を、該付箋画像が抽出された原稿画像及び付箋画像が抽出されなかった他の原稿画像に関連付ける関連付けステップと、前記関連付けステップで付箋画像に関連付けられた各原稿画像上に該付箋画像をそれぞれ合成して、これらの原稿画像を出力する画像出力ステップとを含んでいる。
【００１７】
また、本発明の画像処理方法は、付箋が選択的に添付された複数の原稿を順次読取り、読取った原稿画像毎に、原稿画像からの付箋画像の抽出処理を行う画像処理方法において、前記付箋画像を、該付箋画像が抽出された原稿画像及び付箋画像が抽出されなかった他の原稿画像に関連付ける関連付けステップと、前記付箋画像を１枚の画像として出力し、引き続いて前記関連付けステップで付箋画像に関連付けられた各原稿画像をそれぞれ出力する画像出力ステップとを含んでいる。
【００１８】
更に、本発明の画像処理方法は、付箋が選択的に添付された複数の原稿を順次読取り、読取った原稿画像毎に、原稿画像からの付箋画像の抽出処理を行う画像処理方法において、前記付箋画像を、該付箋画像が抽出された原稿画像及び付箋画像が抽出されなかった他の原稿画像に関連付ける関連付けステップと、前記関連付けステップで付箋画像に関連付けられた各原稿画像上に該付箋画像をそれぞれ合成して、これらの原稿画像を出力する第１画像出力ステップと、前記付箋画像を１枚の画像として出力し、引き続いて前記関連付けステップで付箋画像に関連付けられた各原稿画像をそれぞれ出力する第２画像出力ステップと、前記第１及び第２画像出力ステップのいずれかを選択して、第１及び第２画像出力ステップのいずれかで原稿画像を出力させる選択入力ステップとを含んでいる。
【００１９】
また、本発明の画像処理方法は、付箋が選択的に添付された複数の原稿を順次読取り、読取った原稿画像毎に、原稿画像からの付箋画像の抽出処理を行う画像処理方法において、前記付箋画像を、該付箋画像が抽出された原稿画像及び付箋画像が抽出されなかった他の原稿画像に関連付ける関連付けステップと、前記付箋画像と前記関連付けステップで該付箋画像に関連付けられた各原稿画像を１つのファイルとしてメモリに記憶する記憶ステップとを含んでいる。
【発明の効果】
【００２０】
本発明の画像処理装置では、付箋画像を、該付箋画像が抽出された原稿画像及び付箋画像が抽出されなかった他の原稿画像に関連付け、この付箋画像に関連付けられた各原稿画像上に該付箋画像をそれぞれ合成して、これらの原稿画像を出力している。従って、関連付けられた各原稿画像上には共通の付箋画像が合成されており、いずれの原稿画像についても、他の原稿画像との関連付け等をその付箋画像に基づいて直ちに判断することができる。
【００２１】
また、仮に、出力された複数の原稿画像がバラバラになったとしても、各原稿画像の付箋画像に基づいて該各原稿画像を容易に整理することができる。
【００２２】
また、本発明の画像処理装置では、付箋画像を、該付箋画像が抽出された原稿画像及び付箋画像が抽出されなかった他の原稿画像に関連付け、付箋画像を１枚の画像として出力し、引き続いて付箋画像に関連付けられた各原稿画像をそれぞれ出力している。このように付箋画像が１枚の画像として出力されると、付箋画像の頁を探し出し易くなる。また、付箋画像に引き続いて関連の各原稿画像を出力しているので、これらの原稿画像も容易に判別することができる。
【００２３】
例えば、付箋画像を、該付箋画像が抽出された原稿画像及び次の別の付箋画像が抽出された原稿画像の１頁前までの順次読取られた他の原稿画像に関連付けている。この場合は、付箋が添付された頁から次の付箋が添付された頁の１頁前までが１グループの各原稿となる。
【００２４】
また、付箋画像の抽出処理、原稿画像と付箋画像の関連付け、及び付箋画像もしくは原稿画像の出力という一連の処理を行うモードと、この一連の処理を行わずに、複数の原稿画像を単に出力するモードとのいずれかを選択指示することができるので、ユーザーの要求に応じて付箋画像の抽出から合成までを行うか否かを設定することができる。
【００２５】
更に、付箋画像を変倍出力しているので、付箋画像の大きさを的確に設定することができる。
【００２６】
また、本発明の画像処理装置では、付箋画像に関連付けられた各原稿画像上に該付箋画像をそれぞれ合成して、これらの原稿画像を出力するか、または付箋画像を１枚の画像として出力し、引き続いて付箋画像に関連付けられた各原稿画像をそれぞれ出力するかを選択することができるので、ユーザーの要求に柔軟に対応することができる。
【００２７】
更に、付箋画像に含まれる文字列もしくは関連付け手段により付箋画像に関連付けられた各原稿画像に含まれるそれぞれの文字列をテキストデータに一旦変換しているので、これらのテキストデータを文字列に戻して付箋画像や各原稿画像に合成出力すれば、付箋や各原稿の文字列をより明確に出力することができる。また、付箋や各原稿のテキストデータを電子メール等で送信することが可能になる。
【００２８】
また、本発明の画像処理装置では、付箋画像に関連付けられた各原稿画像を１つのファイルとして記憶しているので、付箋画像及び各原稿画像の管理が容易になる。
【００２９】
尚、本発明の画像処理方法においても、上記本発明の画像処理装置と同様の作用効果を果たすことができる。
【発明を実施するための最良の形態】
【００３０】
以下、本発明の実施形態を添付図面を参照して詳細に説明する。
【００３１】
図１は、本発明の画像処理装置の一実施形態を適用した画像形成装置を示す断面図である。この画像形成装置１００は、原稿読取り装置１０１により読取られた原稿の画像又は外部から受信した画像をカラーもしくは単色で記録用紙に記録形成するものである。
【００３２】
原稿読取り装置１０１では、原稿が原稿セットトレイ４１にセットされると、原稿ピックアップローラ４４が原稿表面に押し付けられて回転され、原稿が原稿セットトレイ４１から引き出され、原稿がサバキローラ４５と分離パッド４６間を通過して１枚ずつに分離されてから搬送経路４７へと搬送される。
【００３３】
この搬送経路４７では、原稿の先端が原稿レジストローラ４９に当接して、原稿の先端が原稿レジストローラ４９と平行に揃えられ、この後に原稿が原稿レジストローラ４９により搬送されて読取りガイド５１と読取りガラス５２間を通過する。このとき、第１走査部５３の光源の光が読取りガラス５２を介して原稿表面に照射され、その反射光が読取りガラス５２を介して第１走査部５３に入射し、この反射光が第１及び第２走査部５３、５４のミラーで反射されて結像レンズ５５へと導かれ、結像レンズ５５によって原稿の画像がＣＣＤ（Charge Coupled Device）５６上に結像される。ＣＣＤ５６は、原稿の画像を読取り、原稿の画像を示す画像データを出力する。更に、原稿は、搬送ローラ５７により搬送され、排紙ローラ５８を介して排紙トレイ５９に排出される。
【００３４】
また、原稿台ガラス６１上に載置された原稿を読取ることができる。原稿レジストローラ４９、読取りガイド５１、排紙トレイ５９等とそれらよりも上側の部材とは、一体化されて、原稿読取り装置１０１の背面側で開閉可能に枢支されたカバー体となっており、この上側のカバー体が開かれると、原稿台ガラス６１が解放されて、原稿台ガラス６１上に原稿を載置することができる。原稿が載置されて、カバー体が閉じられると、第１及び第２走査部５３、５４が副走査方向に移動されつつ、第１走査部５３によって原稿台ガラス６１上の原稿表面が露光され、第１及び第２走査部５３、５４によって原稿表面からの反射光が結像レンズ５５へと導かれ、結像レンズ５５によって原稿の画像がＣＣＤ５６上に結像される。このとき、第１及び第２走査部５３、５４が相互に所定の速度関係を維持しつつ移動されて、原稿表面→第１及び第２走査部５３、５４→結像レンズ５５→ＣＣＤ５６という反射光の光路の長さが変化しないように第１及び第２走査部５３、５４の位置関係が常に維持され、これによりＣＣＤ５６上での原稿の画像のピントが常に正確に維持される。
【００３５】
こうして読取られた原稿の画像全体は、画像データとして画像形成装置１００のレーザ露光装置１へと送受され、画像形成装置１００において画像が記録用紙に記録される。
【００３６】
一方、画像形成装置１００は、レーザ露光装置１、現像装置２、感光体ドラム３、帯電器５、クリーナ装置４、中間転写ベルト装置８、定着装置１２、用紙搬送経路Ｓ、給紙トレイ１０、及び用紙排出トレイ１５等により構成されている。
【００３７】
画像形成装置１００において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。従って、現像装置２（２ａ、２ｂ、２ｃ、２ｄ）、感光体ドラム３（３ａ、３ｂ、３ｃ、３ｄ）、帯電器５（５ａ、５ｂ、５ｃ、５ｄ）、クリーナ装置４（４ａ、４ｂ、４ｃ、４ｄ）は各色に応じた４種類の潜像を形成するようにそれぞれ４個ずつ設けられ、それぞれａがブラックに、ｂがシアンに、ｃがマゼンタに、ｄがイエローに対応付けられて、４つの画像ステーションが構成されている。
【００３８】
感光体ドラム３は、画像形成装置１００のほぼ中央に配置されている。
【００３９】
帯電器５は、感光体ドラム３の表面を所定の電位に均一に帯電させるための帯電手段であり、接触型であるローラ型やブラシ型の帯電器のほか、チャージャー型の帯電器が用いられる。
【００４０】
レーザ露光装置１は、レーザダイオード及び反射ミラーを備えたレーザスキャニングユニット（ＬＳＵ）であり、帯電された感光体ドラム３表面を画像データに応じて露光して、その表面に画像データに応じた静電潜像を形成する。
【００４１】
現像装置２は、感光体ドラム３上に形成された静電潜像を（Ｋ、Ｃ、Ｍ、Ｙ）のトナーにより現像する。クリーナ装置４は、現像及び画像転写後に感光体ドラム３表面に残留したトナーを除去及び回収する。
【００４２】
感光体ドラム３の上方に配置されている中間転写ベルト装置８は、中間転写ベルト７、中間転写ベルト駆動ローラ２１、従動ローラ２２、中間転写ローラ６（６ａ、６ｂ、６ｃ、６ｄ）、及び中間転写ベルトクリーニング装置９を備えている。
【００４３】
中間転写ベルト駆動ローラ２１、中間転写ローラ６、従動ローラ２２等は、中間転写ベルト７を張架して支持し、中間転写ベルト７を矢印Ｃ方向に周回移動させる。
【００４４】
中間転写ローラ６は、中間転写ベルト７近傍に回転可能に支持され、中間転写ベルト７を介して感光体ドラム３に圧接され、感光体ドラム３のトナー像を中間転写ベルト７に転写するための転写バイアスを印加されている。
【００４５】
中間転写ベルト７は、各感光体ドラム３ａ、３ｂ、３ｃ、３ｄに接触するように設けられており、各感光体ドラム３ａ、３ｂ、３ｃ、３ｄ表面のトナー像を中間転写ベルト７に順次重ねて転写することによって、カラーのトナー像（各色のトナー像）を形成する。この転写ベルトは、厚さ１００μｍ〜１５０μｍ程度のフィルムを用いて無端ベルト状に形成されている。
【００４６】
感光体ドラム３から中間転写ベルト７へのトナー像の転写は、中間転写ベルト７裏面に圧接されている中間転写ローラ６によって行われる。中間転写ローラ６には、トナー像を転写するために高電圧の転写バイアス（トナーの帯電極性（−）とは逆極性（＋）の高電圧）が印加されている。中間転写ローラ６は、直径８〜１０ｍｍの金属（例えばステンレス）軸をベースとし、その表面は、導電性の弾性材（例えばＥＰＤＭ、発泡ウレタン等）により覆われているローラである。この導電性の弾性材により、記録用紙に対して均一に高電圧を印加することができる。
【００４７】
上述の様に各感光体ドラム３ａ、３ｂ、３ｃ、３ｄ表面のトナー像は、中間転写ベルト７で積層され、画像データによって示されるカラーのトナー像となる。このように積層された各色のトナー像は、中間転写ベルト７と共に搬送され、中間転写ベルト７と接触する２次転写装置１１の転写ローラ１１ａによって記録用紙上に転写される。
【００４８】
中間転写ベルト７と２次転写装置１１の転写ローラ１１ａとは相互に圧接されて、ニップ域を形成する。また、２次転写装置１１の転写ローラ１１ａには、中間転写ベルト７上の各色のトナー像を記録用紙に転写させるための電圧（トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラ、または発泡性樹脂ローラ等）としている。
【００４９】
また、２次転写装置１１によって中間転写ベルト７上のトナー像が記録用紙上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、例えばクリーニング部材として、中間転写ベルト７に接触して残留トナーを除去するクリーニングブレードが設けられており、クリーニングブレードが接触する部位で、従動ローラ２２により中間転写ベルト７裏側が支持されている。
【００５０】
給紙トレイ１０は、記録用紙を格納しておくためのトレイであり、画像形成装置１００の画像形成部の下側に設けられている。また、画像形成部の上側に設けられている用紙排出トレイ１５は、印刷済みの記録用紙をフェイスダウンで載置するためのトレイである。
【００５１】
また、画像形成装置１００には、給紙トレイ１０の記録用紙を２次転写装置１１や定着装置１２を経由させて用紙排出トレイ１５に送るための、Ｓの字形状の用紙搬送経路Ｓが設けられている。この用紙搬送経路Ｓに沿って、用紙ピックアップローラ１６、用紙レジストローラ１４、定着装置１２、及び記録用紙を搬送する搬送ローラ等が配置されている。
【００５２】
用紙ピックアップローラ１６は、給紙トレイ１０の端部に設けられ、給紙トレイ１０から記録用紙を１枚ずつ用紙搬送経路Ｓに供給する呼び込みローラである。搬送ローラは、記録用紙の搬送を促進補助するための小型のローラであり、用紙搬送経路Ｓに沿って複数個設けられている。
【００５３】
用紙レジストローラ１４は、搬送されて来た記録用紙を一旦停止させて、記録用紙の先端を揃え、中間転写ベルト７と２次転写装置１１間のニップ域で中間転写ベルト７上のカラーのトナー像が記録用紙に転写されるように、感光体ドラム３及び中間転写ベルト７の回転にあわせて、記録用紙をタイミングよく搬送する。
【００５４】
例えば、用紙レジストローラ１４は、図示しないレジスト前検知スイッチの検出出力に基づき、中間転写ベルト７と２次転写装置１１の転写ローラ１１ａ間のニップ域で中間転写ベルト７上のカラーのトナー像の先端が記録用紙における画像形成範囲の先端に合うように、記録用紙を搬送する。
【００５５】
定着装置１２は、加熱ローラ３１及び加圧ローラ３２等を備えている。加熱ローラ３１及び加圧ローラ３２は、記録用紙を挟み込んで搬送する。
【００５６】
加熱ローラ３１は、図示しない温度検出器の検出出力に基づき、制御部によって所定の定着温度となるように制御されており、加圧ローラ３２とともに記録用紙を熱圧着することにより、記録用紙に転写されたトナー像を溶融、混合、圧接し、記録用紙に対して熱定着させる機能を有している。
【００５７】
各色のトナー像の定着後の記録用紙は、搬送ローラによって用紙排出トレイ１５上に排出される。
【００５８】
ところで、画像形成装置１００においては、複数の原稿に選択的に付箋が添付されていても、これらの原稿を順次読取って、読取られた各原稿画像をそれぞれの記録用紙に印刷し、これらの記録用紙を複写原稿として出力する。しかしながら、付箋が原稿の縁から突出するように添付されていたならば、読取った原稿画像から付箋画像がはみ出すので、複写原稿からは付箋を明確に判別することができない。
【００５９】
そこで、本実施形態の画像処理装置では、付箋が選択的に添付された複数の原稿を順次読取り、読取った原稿画像毎に、原稿画像からの付箋画像の抽出処理を行い、抽出した付箋画像を原稿画像の所定位置に重ねて合成するようにしている。これにより、付箋が原稿の縁から突出するように添付されていても、原稿画像上に付箋画像が重なり、複写原稿上での付箋の判別が可能になる。
【００６０】
また、一般に、順番に重ねて纏められた複数の原稿をグループ分けする場合、グループ毎に、第１頁目の原稿だけに付箋を添付し、第２頁目から最終頁までの他の原稿には付箋を添付しないことが多い。このような使用形態においては、付箋が原稿の縁から突出するように添付されていると、付箋から次の別の付箋の１つ手前までを１グループの各原稿として区別することが容易である。しかしながら、本実施形態のように原稿画像上に付箋画像が合成されると、そのようなグループの区別が困難になる。
【００６１】
このため、本実施形態の画像処理装置では、１グループの第１頁目の原稿画像から付箋画像を抽出すると、この抽出した付箋画像を同一グループの各原稿画像全てに合成している。つまり、同一グループに属するのであれば、第１頁目の原稿画像だけではなく、第２頁目から最終頁までの他の原稿画像にも付箋画像を合成している。これにより、同一グループの各複写原稿を容易に把握することが可能になる。
【００６２】
又は、１グループの第１頁目の原稿画像から付箋画像を抽出すると、この抽出した付箋画像を拡大して１枚の記録用紙に印刷出力し、引き続いて同一グループの各原稿画像をそれぞれの記録用紙に順次印刷出力している。つまり、１グループの表紙として付箋画像を拡大印刷し、引き続いて各原稿画像を順次印刷している。これにより、１グループの付箋画像を容易に探し出すことができ、引き続く同一グループの各複写原稿を容易に把握することが可能になる。
【００６３】
図２は、そのような付箋画像の処理を行う本実施形態の画像処理装置を示すブロック図である。本実施形態の画像処理装置７１は、図１の画像形成装置１００における原稿読取り装置１０１及び印刷処理部１０２を含み、また画像データを処理する画像演算処理部７２、画像データを記憶する記憶部７３、種々の指示を入力するために操作される操作部７４、及び画像処理装置７１や画像形成装置１００を統括的に制御する制御部７５を備えている。
【００６４】
画像演算処理部７２は、原稿画像を示す画像データを原稿読取り装置１０１から入力し、この画像データに通常の画像処理（ガンマ、コントラスト、明度の補正等）を施してから、この画像データを印刷処理部１０２に出力する。また、画像演算処理部７２は、画像データに通常の画像処理を施した上で、先に述べたように付箋画像の抽出処理、合成処理、拡大処理を施し、これにより得られた画像データを印刷処理部１０２に出力する。
【００６５】
印刷処理部１０２は、図１におけるレーザ露光装置１、現像装置２、感光体ドラム３、帯電器５、クリーナ装置４、中間転写ベルト装置８、及び定着装置１２等に相当するものである。この印刷処理部１０２では、画像データをレーザ露光装置１に入力し、レーザ露光装置１のレーザ光により画像データに応じた静電潜像を感光体ドラム３に形成し、感光体ドラム３の静電潜像を現像装置２により現像して、感光体ドラム３上にトナー像を形成し、トナー像を感光体ドラム３から記録用紙に転写して、定着装置１２により記録用紙３上のトナー像を定着し、この記録用紙を排出する。
【００６６】
操作部７４は、利用者により操作されるキーやボタン等を有しており、これらのキーやボタン等の操作に応じた種々の指示を制御部７５に与える。制御部７５は、操作部７４からの種々の指示に応答して画像処理装置７１及び画像形成装置１００を制御する。
【００６７】
例えば、操作部７４は、図３(a)に示すように液晶デバイス等からなる表示部７６と、キーやボタン等を配列してなる操作パネル７７とを備えている。原稿の複写に際しては、表示部７６の画面に図３(b)に示すような付箋を認識するか否かの各選択項目７８a、７８bを表示したり、図３(c)に示すような付箋画像の合成及び表紙印刷を選択的に行うか否かの各選択項目７９a、７９b、７９ｃを表示し、操作パネル７７のキーやボタン等の操作によりそれらの選択項目を選択的に指示する。これにより、付箋画像の抽出処理、合成処理、拡大処理を施すか否かが制御部７５に指示される。
【００６８】
制御部７５は、付箋画像の抽出処理、合成処理、拡大処理を施さないと指示されたならば、通常の画像処理だけを画像演算処理部７２に指示する。画像演算処理部７２は、通常の画像処理だけを指示されたならば、原稿読取り装置１０１から入力した画像データに対して通常の画像処理だけを施して、画像データを印刷処理部１０２に出力する。
【００６９】
また、制御部７５は、付箋画像の抽出処理、合成処理、拡大処理を選択的に指示されたならば、通常の画像処理を画像演算処理部７２に指示するだけではなく、付箋画像の抽出処理、合成処理、拡大処理を画像演算処理部７２に選択的に指示する。画像演算処理部７２は、それらの指示に応答して原稿読取り装置１０１から入力した画像データに対して通常の画像処理を施し、更に付箋画像の抽出処理、合成処理、拡大処理を選択的に施して、画像データを印刷処理部１０２に出力する。
【００７０】
次に、画像演算処理部７２による付箋画像の抽出処理、合成処理、拡大処理の具体例を説明する。
【００７１】
例えば、図４(a)に示すように複数の原稿８１が順番に重ねて纏められ、各原稿８１の縁に選択的に付箋８２が添付され、これらの付箋８２により各原稿８１がグループ分けされているものとする。ここでは、グループ毎に、第１頁目の原稿８１だけに付箋８２が添付され、第２頁目から最終頁までの他の原稿８１には付箋が添付されていない。このため、１つの付箋８２から次の別の付箋８２の手前までを１グループの各原稿８１として区別することができる。
【００７２】
図４(a)の各原稿８１は、原稿読取り装置１０１の原稿セットトレイ４１にセットされて、原稿読取り装置１０１により順次読取られる。このとき、原稿読取り装置１０１による読取り範囲が原稿セットトレイ４１のセンサ（図示せず）により検出された原稿８１のサイズよりも大きく設定され、原稿８１の縁から突出した付箋８２も同時に読取られる。そして、原稿読取り装置１０１は、原稿８１又は原稿８１並びに付箋８２を読取る度に、原稿画像を示す画像データを画像演算処理部７２に逐次出力する。従って、原稿８１に付箋８２が添付されていたならば、読取られた原稿画像（以下、元の原稿画像と称する）には原稿８１の画像だけではなく付箋８２の付箋画像も含まれる。
【００７３】
画像演算処理部７２は、画像データを入力する度に、画像データに通常の画像処理を施した上で、画像データによって示される元の原稿画像から付箋画像の抽出処理を施し、元の原稿画像に付箋画像が含まれていたならば、元の原稿画像から付箋画像を抽出する。また、同時に、上記検出された原稿８１のサイズに基づいて元の原稿画像から該サイズの原稿画像を切り出す。これにより、図４(b)に示すように各原稿８１を示すそれぞれの原稿画像８１P、及び各原稿８１に選択的に添付されている幾つかの付箋８２を示すそれぞれの付箋画像８２Pが分離して得られる。
【００７４】
元の原稿画像から付箋画像を抽出する方法は、周知の方法でよい。例えば、原稿８１と付箋８２間には濃度差や色差があり、付箋８２が小さな矩形であることから、元の原稿画像における濃度や色の異なる小さな矩形領域を付箋画像として求めることができる。あるいは、付箋８２の周縁段差に影が生じるので、元の原稿画像における線状暗部で囲まれる小さな矩形領域を付箋画像として求めることができる。また、付箋の位置及びサイズを操作部７４の操作により入力し、これらの付箋の位置及びサイズに基づいて元の原稿画像から付箋画像を抽出することも可能である。更に、幾つかの方法を組み合わせて、原稿画像から付箋画像を抽出してもよい。
【００７５】
画像演算処理部７２は、元の原稿画像に付箋画像が含まれていて、元の原稿画像から付箋画像を抽出し、原稿画像８１P及び付箋画像８２Pを分離することができたならば、記憶部７３内に１つのファイルを形成し、このファイルに原稿画像８１P及び付箋画像８２Pを記憶する。そして、画像演算処理部７２は、次頁の元の原稿画像に付箋画像が含まれていなければ、記憶部７３内の同一ファイルに次の原稿画像８１Pも記憶し、次頁以降の元の原稿画像も同様に、付箋画像が含まれていない限り、同一ファイルに原稿画像８１Pを逐次記憶して行く。
【００７６】
更に、画像演算処理部７２は、次頁以降の元の原稿画像に付箋画像が含まれていたならば、記憶部７３内に新たなファイルを形成して、この新たなファイルにその元の原稿画像から分離した原稿画像８１P及び付箋画像８２Pを記憶し、引き続く次頁以降の元の原稿画像に付箋画像が含まれていない限り、この新たなファイルに原稿画像８１Pを逐次記憶して行く。
【００７７】
これにより、各原稿８１のグループ毎に、記憶部７３内にファイルが形成され、このファイルに、グループの第１頁の原稿８１に添付されている付箋８２の付箋画像８２P及びグループに属する各原稿８１の原稿画像８１Pが格納される。このため、複数のグループをフィル単位で管理することが可能になり、この後で行われるグループ単位での原稿画像の印刷が容易になる。
【００７８】
次に、付箋画像を原稿画像に合成するものとすると、画像演算処理部７２は、記憶部７３内のファイル毎に、付箋画像８２Pをそれぞれの原稿画像８１Pに重ねて合成する。一般に原稿画像の縁近くには余白があるので、原稿画像８１Pの上縁近くの余白に付箋画像８２Pを重ねて合成し、図４(c)に示すようなそれぞれの原稿画像８３P（以下、合成原稿画像と称する）を生成する。これにより、記憶部７３内のファイルに、付箋画像８２Pを各原稿画像８１Pに合成したそれぞれの合成原稿画像８３Pが格納されることになる。
【００７９】
この後、画像演算処理部７２は、記憶部７３内のファイル毎に、各合成原稿画像８３Pを順次読み出して印刷処理部１０２に出力する。印刷処理部１０２は、各合成原稿画像８３Pを順次入力し、これらの合成原稿画像８３Pをそれぞれの記録用紙に印刷して、これらの合成原稿画像８３Pの複写原稿を出力する。
【００８０】
これにより、グループ別に、図４(c)に示すような各合成原稿画像８３Pの複写原稿が得られ、同一グループの各複写原稿を容易に把握することが可能になる。また、仮に、出力された複数の複写原稿がバラバラになったとしても、各複写原稿の付箋画像に基づいて該各複写原稿を容易に整理することができる。
【００８１】
また、付箋画像を原稿画像に合成するのではなく、付箋画像を表紙として拡大印刷し、引き続いて各原稿画像を順次印刷するものとすると、画像演算処理部７２は、記憶部７３内のファイル毎に、図５に示すような付箋画像８２Pを拡大した拡大付箋画像８４Pを生成する。これにより、記憶部７３内のファイルに、拡大付箋画像８４P及び各原稿画像８１Pが格納される。
【００８２】
この後、画像演算処理部７２は、記憶部７３内のファイル毎に、拡大付箋画像８４P及び各原稿画像８１Pを順次読み出して印刷処理部１０２に出力する。印刷処理部１０２は、拡大付箋画像８４P及び各原稿画像８１Pを順次入力し、拡大付箋画像８４P及び各原稿画像８１Pをそれぞれの記録用紙に印刷して、これらの画像８４P、８１Pの複写原稿を順次出力する。
【００８３】
これにより、グループ別に、図５に示すような拡大付箋画像８４P及び各原稿画像８１Pの複写原稿が得られ、同一グループの各複写原稿を容易に把握することが可能になる。
【００８４】
次に、図６のフローチャートを参照しつつ、付箋が添付された原稿の読取りから複写原稿の出力までの一連の処理手順を説明する。
【００８５】
まず、複数の原稿が原稿読取り装置１０１の原稿セットトレイ４１にセットされると、原稿及びそのサイズがセンサ（図示せず）により検出され、このセンサの検出出力が制御部７５に入力される。これに応答して制御部７５は、図３(b)の各選択項目７８a、７８bを操作部７４の表示部７６に表示する。利用者は、操作部７４のキーやボタン等を操作して、各選択項目７８a、７８bのいずれかを選択する。
【００８６】
このとき、「Yes」の選択項目７８aが選択されると、制御部７５は、図３(ｃ)の各選択項目７９a、７９b、７９ｃを操作部７４の表示部７６に表示する。引き続いて、利用者は、操作部７４のキーやボタン等を操作して、各選択項目７９a、７９b、７９ｃのいずれかを選択する。例えば、「合成する」の選択項目７９a又は「表紙をつける」の選択項目７９ｂが選択されると、制御部７５は、付箋データの抽出処理、合成処理又は拡大処理を行うものとみなして（ステップＳ２０１で「Yes」）、ステップＳ２０２に移る。また、「No」の選択項目７８bが選択されるか、又は「Yes」の選択項目７８aが選択された後に「合成/表紙もなし」の選択項目７９ｃが選択されると、制御部７５は、付箋データの抽出処理、合成処理又は拡大処理を行わないものとみなして（ステップＳ２０１で「No」）、ステップＳ２０３に移る。
【００８７】
ここで、付箋データの抽出処理、合成処理又は拡大処理が行われるものとみなされて（ステップＳ２０１で「Yes」）、ステップＳ２０２に移ったとすると、制御部７５は、原稿読取り装置１０１を制御して、原稿セットトレイ４１上の各原稿の読取りを開始させる。原稿読取り装置１０１は、その読取り範囲を原稿８１のサイズよりも大きく設定して、原稿セットトレイ４１上の原稿８１の読取りを開始し、原稿を読取る度に、元の原稿画像を示す画像データを画像演算処理部７２に逐次出力する（ステップＳ２０２）。
【００８８】
画像演算処理部７２は、画像データを入力する度に、画像データに通常の画像処理を施した上で、画像データによって示される元の原稿画像からの付箋画像の抽出を試みる。このとき、画像演算処理部７２は、元の原稿画像に付箋画像が含まれていたならば（ステップＳ２０４で「Yes」）、元の原稿画像から付箋画像を抽出して、原稿画像及び付箋画像を分離し、更に記憶部７３内に１つのファイルを形成して、このファイルに原稿画像及び付箋画像を記憶する。そして、画像演算処理部７２は、次頁の元の原稿画像に付箋画像が含まれていなければ、記憶部７３内の同一ファイルに次の原稿画像も記憶し、次頁以降の元の原稿画像も同様に、付箋画像が含まれていない限り、同一ファイルに原稿画像を逐次記憶して行く。更に、次頁以降の元の原稿画像に付箋画像が含まれていたならば、元の原稿画像から付箋画像を抽出して、原稿画像及び付箋画像を分離し、記憶部７３内に新たなファイルを形成して、この新たなファイルに原稿画像及び付箋画像を記憶し、引き続く元の原稿画像に付箋画像が含まれていない限り、この新たなファイルに原稿画像を逐次記憶して行く（ステップＳ２０５）。これにより、各原稿８１のグループ毎に、記憶部７３内にファイルが形成され、このファイルに、グループの第１頁の原稿に添付されている付箋の付箋画像及びグループに属する各原稿の原稿画像が格納される。
【００８９】
そして、先のステップＳ２０１において「合成する」の選択項目７９aが選択されていたならば（ステップＳ２０６で「No」）、画像演算処理部７２は、記憶部７３内のファイル毎に、付箋画像をそれぞれの原稿画像に重ねて合成して、各合成原稿画像を生成し、これらの合成原稿画像を印刷処理部１０２に順次出力する（ステップＳ２０９）。印刷処理部１０２は、各合成原稿画像を順次入力し、これらの合成原稿画像をそれぞれの記録用紙に印刷して、これらの合成原稿画像の複写原稿を出力する（ステップＳ２０８）。
【００９０】
また、先のステップＳ２０１において「表紙をつける」の選択項目７９bが選択されていたならば（ステップＳ２０６で「Yes」）、画像演算処理部７２は、記憶部７３内のファイル毎に、付箋画像を拡大した拡大付箋画像を生成し、拡大付箋画像及び各原稿画像を印刷処理部１０２に順次出力する（ステップＳ２０７）。印刷処理部１０２は、拡大付箋画像及び各原稿画像を順次入力し、これらの画像をそれぞれの記録用紙に印刷して、これらの画像の複写原稿を出力する（ステップＳ２０８）。
【００９１】
一方、付箋データの抽出処理、合成処理又は拡大処理が行われないものとみなされて（ステップＳ２０１で「No」）、ステップＳ２０３に移った場合も、制御部７５は、原稿読取り装置１０１を制御して、原稿セットトレイ４１上の各原稿の読取りを開始させ、原稿読取り装置１０１から各原稿画像を示す画像データを画像演算処理部７２に逐次出力させる（ステップＳ２０３）。
【００９２】
画像演算処理部７２は、画像データを入力する度に、画像データに通常の画像処理だけを施して、画像データによって示される原稿画像を印刷処理部１０２に出力する（ステップＳ２１０）。
【００９３】
あるいは、画像演算処理部７２により元の原稿画像からの付箋画像の抽出を試みたものの、元の原稿画像のいずれにも付箋画像が含まれていないときにも（ステップＳ２０４で「No」）、ステップＳ２１０の処理が行われる。
【００９４】
そして、印刷処理部１０２は、各原稿画像を画像演算処理部７２から順次入力し、これらの原稿画像をそれぞれの記録用紙に印刷して、これらの原稿画像の複写原稿を出力する（ステップＳ２０８）。
【００９５】
このように本実施形態では、１グループの第１頁目の原稿画像から付箋画像を抽出すると、この抽出した付箋画像を同一グループの各原稿画像全てに合成したり、あるいは抽出した付箋画像を拡大して１枚の記録用紙に表紙として印刷出力し、引き続いて同一グループの各原稿画像をそれぞれの記録用紙に順次印刷出力しているので、同一グループの各複写原稿を容易に把握することが可能になる。
【００９６】
ところで、上記実施形態では、付箋画像を原稿画像に合成することと、付箋画像を拡大して表紙にすることを選択的に行っているが、両方を組み合わせて行っても良い。この場合は、１グループの表紙として付箋画像を拡大印刷し、引き続いて付箋画像を合成した各原稿画像を順次印刷することになる。
【００９７】
また、付箋画像を原稿画像に合成するか、付箋画像を拡大して表紙とするかにかかわらず、操作部７４の操作により付箋画像の変倍率を指示し、画像演算処理部７２により付箋画像を変倍して記憶部７３に記憶し、この変倍した付箋画像を記憶部７３から印刷処理部１０２に出力して、この変倍した付箋画像を記録用紙に印刷しても良い。
【００９８】
また、画像演算処理部７２に文字認識ソフトウェアを搭載し、付箋画像に含まれる文字列を文字認識処理により認識して、この文字列をテキストデータに一旦変換し、このテキストデータを記憶部７３のファイルに記憶してもよい。そして、付箋画像の代わりに、このテキストデータを文字列に変換して、この文字列を記録用紙に印刷する。これにより、付箋画像に含まれる文字列が記録用紙上でより明確に印刷される。
【００９９】
この場合は、付箋画像の文字列を示すテキストデータが格納されるファイルの名称として、このテキストデータを設定すれば、ファイルの管理が容易になる。
【０１００】
更に、付箋画像だけではなく、原稿画像に含まれる文字列を文字認識処理によりPDF（Portable Document Format）データに変換して、このPDFデータを記憶部７３のファイルに記憶し、原稿画像の代わりに、このPDFデータを文字列に変換して、この文字列を記録用紙に印刷しても良い。この場合も、原稿画像に含まれる文字列が記録用紙上でより明確に印刷される。また、画像形成装置１００とパソコン等との間でデータ通信が可能なネットワークシステムを構築した場合は、記憶部７３のファイルを電子メールに添付して画像形成装置１００からパソコン等に転送することが可能であるが、原稿画像の代わりに、PDFデータをファイルに格納しておけば、電子メールの容量を節減することができる。
【０１０１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【図面の簡単な説明】
【０１０２】
【図１】本発明の画像処理装置の一実施形態を適用した画像形成装置を示す断面図である。
【図２】本実施形態の画像処理装置を示すブロック図である。
【図３】(a)は図２の画像処理装置における操作部を示す平面図であり、(b)及び(c)は操作部の表示部画面の表示例を示す図である。
【図４】(a)は付箋が選択的に添付された複数の原稿を示す図であり、(b)は分離された付箋画像と各原稿画像を示す図であり、(c)は付箋画像が合成された各原稿画像を示す図である。
【図５】拡大して表紙となった付箋画像と各原稿画像を示す図である。
【図６】付箋が添付された原稿の読取りから複写原稿の出力までの一連の処理手順を示すフローチャートである。
【符号の説明】
【０１０３】
１  レーザ露光装置
２（２ａ、２ｂ、２ｃ、２ｄ）  現像装置
３（３ａ、３ｂ、３ｃ、３ｄ）  感光体ドラム
４（４ａ、４ｂ、４ｃ、４ｄ）  クリーナ装置
５（５ａ、５ｂ、５ｃ、５ｄ）  帯電器
７  中間転写ベルト
８  中間転写ベルト装置
１０  給紙トレイ
１１  ２次転写装置
１２  定着装置
１４  用紙レジストローラ
１５  用紙排出トレイ
３１  加熱ローラ
３２  加圧ローラ
４１  原稿セットトレイ
４４  原稿ピックアップローラ
５３  第１走査部
５４  第２走査部
５５  結像レンズ
５６  ＣＣＤ
７１  画像処理装置
７２  画像演算処理部
７３  記憶部
７４  操作部
７５  制御部
８１  原稿
８２  付箋
８１P  原稿画像
８２P  付箋画像
８３P  合成原稿画像
８４P  拡大付箋画像
１００  画像形成装置
１０１  原稿読取り装置
１０２  印刷処理部
Ｓ  用紙搬送経路
【図１】
2010088037.tif 000003
【図２】
2010088037.tif 000004
【図３】
2010088037.tif 000005
【図４】
2010088037.tif 000006
【図５】
2010088037.tif 000007
【図６】
2010088037.tif 000008